(57)【特許請求の範囲】
【請求項１】
床の開口部の周縁に沿って装着される外枠に嵌合する形状を有し、前記開口部を塞ぐ多角形状の蓋板の周縁に沿って装着される床開口構造用の内枠であって、
前記蓋板の角部に装着される複数のコーナー部材と、隣り合う角部間に位置する前記蓋板の縁部に装着され、前記コーナー部材に連結される複数の枠部材と、を備え、
各コーナー部材は、前記角部の側面を覆うコーナー側部と、このコーナー側部の下端につながり前記角部の下面を覆うコーナー下部と、前記コーナー側部の上端につながり前記角部の上面を覆うコーナー上部と、を備え、
各枠部材は、前記縁部の側面を覆う枠側部と、この枠側部の下端につながり前記縁部の下面を覆う枠下部と、前記枠側部の上端につながり前記縁部の上面を覆う枠上部と、を備え、
各コーナー部材は、前記コーナー側部から前記枠側部の内側面に沿って前記枠部材の長手方向に突出する第１突出部と、前記コーナー下部から前記枠下部の上面に沿って前記長手方向に突出する第２突出部と、をさらに備え、
各枠部材は、前記枠側部、枠下部及び枠上部の少なくとも１つにつながり、前記枠側部の内側面に対向する対向面を有し、この対向面と前記内側面との間に前記第１突出部を挟む延設部と、前記枠下部の上面に設けられ、前記長手方向に延び、前記第２突出部が載置される底面を有する溝部と、をさらに備え、
前記延設部は、前記枠部材の前記長手方向に直交する幅方向への前記第１突出部の動きを規制し、前記溝部は、前記コーナー部材及び前記枠部材が前記蓋板に装着されたときに、前記溝部の底面と前記蓋板の下面との間に前記第２突出部を挟んで上下方向への前記第２突出部の動きを規制する床開口構造用の内枠。
【請求項２】
前記溝部は、前記底面の両サイドから上方にそれぞれ起立する一対の起立面をさらに有し、これらの起立面の間に前記第２突出部を挟んで前記幅方向への前記第２突出部の動きを規制する請求項１に記載の床開口構造用の内枠。
【請求項３】
各コーナー部材は、前記コーナー上部から前記枠上部の上面に沿って前記長手方向に突出し、前記枠上部の上面の一部を覆う第３突出部をさらに備え、
前記第３突出部の下面は、前記枠上部における前記長手方向の端面が当接可能な段差面を介して前記コーナー上部の下面とつながっている、請求項１又は２に記載の床開口構造用の内枠。
【請求項４】
前記枠下部は、前記枠側部の下端につながり前記幅方向に延びる基端領域と、この基端領域からさらに前記幅方向に延び、前記基端領域よりも厚みの小さい先端領域とを有し、
前記基端領域には、前記溝部が設けられており、
前記先端領域には、前記蓋板と前記枠部材とを固定するねじ部材を下方から挿入するためのねじ挿入部が設けられており、前記先端領域の下面は、前記基端領域の下面よりも上方に位置している、請求項１〜３のいずれか１項に記載の床開口構造用の内枠。
【請求項５】
前記先端領域の上面には、
前記蓋板の下面が当接し、前記長手方向に延び、互いに間隔をあけて設けられた一対の当接面と、
これらの当接面の間に位置し、前記当接面よりも下方に凹み、前記長手方向に沿って延びるパッキン用溝部とが形成されており、
前記ねじ挿入部は、前記先端領域において前記パッキン用溝部が形成された領域に設けられている、請求項４に記載の床開口構造用の内枠。
【請求項６】
前記第１突出部は、上下方向の寸法よりも前記幅方向の寸法が小さい偏平な形状を有し、上端部から下端部に向かうにつれて前記幅方向の寸法が漸次小さく又は漸次大きくなるくさび形状を有しており、
前記第１突出部を挟む前記対向面と前記内側面との間の領域は、前記第１突出部の形状に沿うくさび形状を有している、請求項１〜５のいずれかに記載の床開口構造用の内枠。
【発明の詳細な説明】
【技術分野】
【０００１】
本発明は、床下点検、床下収納などの用途における床の開口構造に用いられる内枠に関するものである。
【背景技術】
【０００２】
従来、床下点検、床下収納などの用途で床に設けられた開口部及びこれを塞ぐ蓋板に装着する枠材が知られている。この枠材は、開口部の周縁に沿って装着される外枠と、この外枠に嵌合する形状を有し、前記蓋板の周縁に沿って装着される内枠とからなる。この内枠は、蓋板の角部に装着される複数のコーナー部材と、隣り合う角部間に位置する蓋板の縁部に装着され、コーナー部材に連結される複数の枠部材とからなる（例えば特許文献１，２参照）。
【先行技術文献】
【特許文献】
【０００３】
【特許文献１】特開平９−３１０４７９号公報
【特許文献２】特開２０１０−１１６７３８号公報
【発明の概要】
【発明が解決しようとする課題】
【０００４】
ところで、内枠が装着された蓋板は、床下の点検や床下の収納庫を利用する際に着脱が繰り返される。したがって、内枠は、着脱が繰り返されても蓋板に対するずれ、がたつきなどが生じにくい安定性を有している必要がある。また、材料コスト、輸送コストなどのコストアップの抑制及び床下スペースの有効利用の観点から、内枠のサイズが大きくなるのは好ましくない。
【０００５】
そこで、本発明は、かかる点に鑑みてなされたものであり、その目的とするところは、サイズが大きくなるのを抑制しつつ、蓋板に装着した後の安定性に優れた床開口構造用の内枠を提供することにある。
【課題を解決するための手段】
【０００６】
本発明の床開口構造用の内枠は、床の開口部の周縁に沿って装着される外枠に嵌合する形状を有し、前記開口部を塞ぐ多角形状の蓋板の周縁に沿って装着される。この内枠は、前記蓋板の角部に装着される複数のコーナー部材と、隣り合う角部間に位置する前記蓋板の縁部に装着され、前記コーナー部材に連結される複数の枠部材とを備えている。
【０００７】
各コーナー部材は、前記角部の側面を覆うコーナー側部と、このコーナー側部の下端につながり前記角部の下面を覆うコーナー下部と、前記コーナー側部の上端につながり前記角部の上面を覆うコーナー上部とを備えている。各枠部材は、前記縁部の側面を覆う枠側部と、この枠側部の下端につながり前記縁部の下面を覆う枠下部と、前記枠側部の上端につながり前記縁部の上面を覆う枠上部とを備えている。
【０００８】
各コーナー部材は、第１突出部と第２突出部とをさらに備えている。前記第１突出部は、前記コーナー側部から前記枠側部の内側面に沿って前記枠部材の長手方向に突出している。前記第２突出部は、前記コーナー下部から前記枠下部の上面に沿って前記長手方向に突出している。
【０００９】
各枠部材は、延設部と溝部とをさらに備えている。前記延設部は、前記枠側部、枠下部及び枠上部の少なくとも１つにつながり、前記枠側部の内側面に対向する対向面を有し、この対向面と前記内側面との間に前記第１突出部を挟む。前記溝部は、前記枠下部の上面に設けられ、前記長手方向に延び、前記第２突出部が載置される底面を有している。
【００１０】
前記延設部は、前記枠部材の前記長手方向に直交する幅方向への前記第１突出部の動きを規制する。前記溝部は、前記コーナー部材及び前記枠部材が前記蓋板に装着されたときに、前記溝部の底面と前記蓋板の下面との間に前記第２突出部を挟んで上下方向への前記第２突出部の動きを規制する。
【００１１】
この構成では、以下に説明するように内枠のサイズが大きくなるのを抑制しつつ、内枠を蓋板に装着した後の安定性にも優れている。
【００１２】
本構成では、コーナー部材と枠部材とは、側部（コーナー側部及び枠側部）と下部（コーナー下部及び枠下部）の２箇所において係合されているので、コーナー部材と枠部材が側部及び下部の一方のみで係合される場合に比べて、内枠にかかる種々の方向からの加重に対して安定して装着状態を維持できる。
【００１３】
具体的には、側部においては、枠側部の内側面に対向する対向面を有する延設部を設けることにより、第１突出部が枠側部と延設部によって抱え込まれるような形態を採用している。これにより、前記幅方向への第１突出部の動きが規制される。一方、下部においては、枠下部に溝部を設け、この溝部の底面に載置された第２突出部が前記底面と蓋板の下面との間に挟まれる形態を採用している。コーナー部材及び枠部材が蓋板に装着された状態では、枠下部及び第２突出部は蓋板の真下に位置しているので、蓋板の重みが枠下部及び第２突出部に常にかかることになる。これにより、上下方向への第２突出部の動きが蓋板及び溝部によって効果的に規制される。
【００１４】
ここで、仮に下部において、側部の係合構造と同様に第２突出部を抱え込むような形態を採用すると、本構成に比べて枠下部の上下方向の寸法が大きくなるのは避けられない。すなわち、本構成の下部においては、溝部と蓋板とを利用して第２突出部の動きを規制しているので、枠下部に第２突出部の厚みと同程度の深さの溝部を設けるだけでよく、枠下部の上下方向の寸法（厚み）が大きくなるのを抑制できる。これにより、内枠にかかる材料コスト及び輸送コストを低減できる。また、枠下部の厚みが大きくなるのが抑制されることにより、その分だけ蓋板の下面よりも下方の領域、すなわち床下スペースを有効利用することができる。
【００１５】
また、前記床開口構造用の内枠において、前記溝部は、前記底面の両サイドから上方にそれぞれ起立する一対の起立面をさらに有し、これらの起立面の間に前記第２突出部を挟んで前記幅方向への前記第２突出部の動きを規制する構成であるのが好ましい。
【００１６】
この構成では、溝部の底面に載置された第２突出部は、溝部の一対の起立面によって幅方向の動きも規制されるので、コーナー部材と枠部材との連結状態がより安定する。
【００１７】
また、前記床開口構造用の内枠において、各コーナー部材は、前記コーナー上部から前記枠上部の上面に沿って前記長手方向に突出し、前記枠上部の上面の一部を覆う第３突出部をさらに備えているのが好ましく、この場合において、前記第３突出部の下面は、前記枠上部における前記長手方向の端面が当接可能な段差面を介して前記コーナー上部の下面とつながっているのが好ましい。
【００１８】
この構成では、コーナー部材の第３突出部が枠部材の枠上部の上面の一部を覆うので、仮にコーナー部材及び枠部材の寸法にばらつきがあり、コーナー部材と枠部材との間に若干の隙間が生じるような場合であっても、そのような隙間は第３突出部によって覆われる。したがって、内枠の上部に上記のような隙間が露出するのを避けることができるので、美感が向上するとともに、隙間からの異物の侵入を抑制できる。また、前記段差面が設けられていることにより、コーナー部材と枠部材との位置決めが容易になる。
【００１９】
また、前記床開口構造用の内枠において、前記枠下部は、前記枠側部の下端につながり前記幅方向に延びる基端領域と、この基端領域からさらに前記幅方向に延び、前記基端領域よりも厚みの小さい先端領域とを有しているのが好ましく、この場合において、前記基端領域には、前記溝部が設けられており、前記先端領域には、前記蓋板と前記枠部材とを固定するねじ部材を下方から挿入するためのねじ挿入部が設けられており、前記先端領域の下面は、前記基端領域の下面よりも上方に位置しているのが好ましい。
【００２０】
この構成では、基端領域は、先端領域と枠側部の下端との間に位置している。すなわち、基端領域に設けられた溝部の前記幅方向の両側には、先端領域に設けられたねじ挿入部と枠側部の下端とが位置することになる。したがって、前記ねじ部材により枠部材が蓋板に固定された状態では、溝部及びこの溝部に載置された第２突出部を前記幅方向の両側から蓋板の下面側に（上方に）押圧することができる。これにより、第２突出部の動きをより効果的に規制することができるので、コーナー部材と枠部材との連結状態がさらに安定する。
【００２１】
また、前記床開口構造用の内枠において、前記先端領域の上面には、前記蓋板の下面が当接し、前記長手方向に延び、互いに間隔をあけて設けられた一対の当接面と、これらの当接面の間に位置し、前記当接面よりも下方に凹み、前記長手方向に沿って延びるパッキン用溝部とが形成されており、前記ねじ挿入部は、前記先端領域において前記パッキン用溝部が形成された領域に設けられているのが好ましい。
【００２２】
この構成では、パッキン用溝部にパッキンを配置して前記ねじ部材により枠部材を蓋板に固定することにより、蓋板と枠部材との間の気密性を高めることができる。また、パッキン用溝部は一対の当接面の間に位置しているので、パッキンが前記幅方向に位置ずれするのを抑制できる。さらに、前記ねじ挿入部はパッキン用溝部が形成された領域に設けられているので、前記ねじ部材がパッキンを貫通した状態で枠部材が蓋板に固定される。これにより、パッキンの位置ずれをより効果的に抑制できる。
【００２３】
前記第１突出部は、上下方向の寸法よりも前記幅方向の寸法が小さい偏平な形状を有し、上端部から下端部に向かうにつれて前記幅方向の寸法が漸次小さく又は漸次大きくなるくさび形状を有しているのが好ましく、この場合において、前記第１突出部を挟む前記対向面と前記内側面との間の領域は、前記第１突出部の形状に沿うくさび形状を有しているのが好ましい。
【００２４】
この構成では、第１突出部及びこれが挿入される前記領域の形状が上記のようなくさび形状であるので、上方又は下方への第１突出部の動きを規制することができる。
【発明の効果】
【００２５】
以上説明したように、本発明によれば、内枠のサイズが大きくなるのを抑制しつつ、内枠を蓋板に装着した後の安定性に優れている。
【図面の簡単な説明】
【００２６】
【図１】（Ａ）は、本発明の一実施形態にかかる床開口構造用内枠を、蓋板の周縁に沿って取り付け、床下点検口の周縁に沿って取り付けられた外枠に嵌合した状態を示す平面図であり、（Ｂ）は、（Ａ）のＩＢ−ＩＢ線断面図である。
【図２】図１（Ｂ）の要部を拡大した断面図である。
【図３】（Ａ）は、前記床開口構造用内枠のコーナー部材を斜め上方から見た斜視図であり、（Ｂ）及び（Ｃ）は、このコーナー部材に枠部材を連結したときの状態を示す斜視図である。
【図４】（Ａ）は、前記コーナー部材を斜め下方から見た斜視図であり、（Ｂ）及び（Ｃ）は、このコーナー部材に枠部材を連結したときの状態を示す斜視図である。
【図５】（Ａ）は、前記コーナー部材を示す平面図であり、（Ｂ）は、このコーナー部材を示す側面図であり、（Ｃ）は、前記コーナー部材を示す正面図である。
【図６】前記枠部材を示す断面図である。
【図７】（Ａ）は、前記外枠のコーナー部材を示す平面図であり、（Ｂ）は、このコーナー部材を示す側面図であり、（Ｃ）は、前記コーナー部材を示す正面図である。
【図８】前記外枠の枠部材を示す断面図である。
【発明を実施するための形態】
【００２７】
以下、本発明の一実施形態にかかる床開口構造用の内枠１１について図面を参照しながら詳細に説明する。図１（Ａ），（Ｂ）に示すように、本実施形態の内枠１１は、床材９１に設けられた矩形状の開口部９２の周縁に沿って装着された外枠７１に嵌合する形状を有している。この内枠１１は、開口部９２を塞ぐ矩形状の蓋板８１の周縁に沿って装着されている。
【００２８】
図２に示すように、床材９１は、３つの板状部材９１ａ，９１ｂ，９１ｃが積層された３層構造を有しており、間隔をあけて配列された複数の下地材９４の上面に載置されている。開口部９２は、例えば一辺が数十センチ程度の長方形又は正方形の孔である。図１（Ｂ）に示すように、下地材９４の一部は、開口部９２の周縁に沿って配設されている。
【００２９】
開口部９２の周縁に沿って配設された下地材９４の側面９４１は、平面視で開口部９２の内周面（床材９１の端面）とほぼ同じ位置にある。下地材９４の側面９４１には、外枠７１が固定される外枠支持台９５が取り付けられている。図１（Ｂ）及び図２に示すように、外枠支持台９５は、平面視で蓋板８１の周縁の下方に位置しており、蓋板８１の周縁と外枠支持台９５との間に内枠１１の一部と外枠７１の一部が挟まれている。
【００３０】
開口部９２よりも下方に位置する床下の空間（下地材９４に囲まれた空間）には、例えば図１（Ｂ）に示すような収納庫（収納容器）９６が配設されている。このような収納庫９６が設けられている場合には、開口部９２を点検口として用いることができるのに加え、前記空間を収納用途に用いることもできる。また、開口部９２を点検口として用いずに収納用途などの用途で用いることもできる。収納庫９６は、その開口周縁に沿って設けられたフランジ部９６ａ（図２）が外枠７１を介して外枠支持台９５の上面に載置されることにより、支持されている。
【００３１】
図２に示すように、蓋板８１は、２つの板状部材８１ａ，８１ｂが積層された２層構造を有している。この蓋板８１の上面には、蓋板８１を着脱する際にユーザーが把持する取っ手８４が設けられている（図１（Ａ）参照）。
【００３２】
内枠１１は、蓋板８１の角部８２に装着される４つのコーナー部材２１と、隣り合う角部８２間に位置する蓋板８１の直線状の縁部８３に装着される４つの枠部材４１とを備えている。各枠部材４１の両端部は、コーナー部材２１に連結されている。本実施形態において、角部８２とは、蓋板８１の角（上下に延びる稜線）並びにその近傍の側面、上面及び下面を含む領域のことをいう。
【００３３】
なお、４つのコーナー部材２１はほぼ同形状であり、４つの枠部材４１はほぼ同形状であるので、以下では、これらのうちの１つのコーナー部材２１と、このコーナー部材２１に連結される２つの枠部材４１（４１Ａ，４１Ｂ）とを例に挙げて説明する。
【００３４】
また、図３（Ａ）〜（Ｃ）及び図４（Ａ）〜（Ｃ）において、方向Ｄ１は、一方の枠部材４１Ａの長手方向を示し、方向Ｄ２は、他方の枠部材４１Ｂの長手方向を示している。方向Ｗ１は、一方の枠部材４１Ａの幅方向を示しており、方向Ｄ１に直交し、水平方向に平行である。方向Ｗ２は、他方の枠部材４１Ｂの幅方向を示しており、方向Ｄ２に直交し、水平方向に平行である。なお、本実施形態では、蓋板８１が矩形状であるので、方向Ｄ１と方向Ｗ２は同じ方向であり、方向Ｄ２と方向Ｗ１は同じ方向である。
【００３５】
図３（Ａ）〜（Ｃ）、図４（Ａ）〜（Ｃ）及び図５（Ａ）〜（Ｃ）に示すように、コーナー部材２１は、コーナー側部２２と、コーナー下部２３と、コーナー上部２４とを有している。コーナー側部２２は、蓋板８１の角部８２の側面をＬ字状に覆う。コーナー側部２２は、平面視でＬ字状に屈曲した形状を有している。コーナー側部２２は、方向Ｄ１に略平行な平板部２２Ａと方向Ｄ２に略平行な平板部２２Ｂとが上下方向に延びる稜線２１ａにおいてつながった形状を有している。以下、平板部２２Ａをコーナー側部２２Ａといい、平板部２２Ｂをコーナー側部２２Ｂという。
【００３６】
コーナー下部２３は、コーナー側部２２の下端につながり、角部８２の下面を覆うようにフランジ状に延びている。コーナー下部２３は、コーナー側部２２の下端につながり幅方向Ｗ１，Ｗ２に延びる基端領域２３Ａと、この基端領域２３Ａからさらに幅方向Ｗ１，Ｗ２に延び、基端領域２３Ａよりも厚みの小さい先端領域２３Ｂとを有している。先端領域２３Ｂの下面は、基端領域２３Ａの下面よりも上方に位置している。基端領域２３Ａの下面には、外枠７１に対向し、方向Ｄ１，Ｄ２に沿って延びるパッキン用溝部２３Ｃが形成されている。このパッキン用溝部２３Ｃと外枠７１との間にはパッキンＰが配設される。
【００３７】
コーナー上部２４は、図５（Ｂ），（Ｃ）に示すように、コーナー側部２２の上端につながり角部８２の上面を覆うようにフランジ状に延びている。コーナー上部２４の上面は、幅方向Ｗ１の外側及び幅方向Ｗ２の外側の領域がほぼ平面であり、幅方向Ｗ１の内側及び幅方向Ｗ２の内側の領域が下方に湾曲した曲面である。
【００３８】
図３（Ｂ）及び図４（Ｂ）に示すように、コーナー側部２２Ａの方向Ｄ１の端面２２１、コーナー下部２３の方向Ｄ１の端面２３１及びコーナー上部２４の方向Ｄ１の端面（段差面）２７３は、方向Ｄ１に直交する同一平面上に位置しており、後述する枠部材４１の方向Ｄ１の端面と当接又は近接するように設計されている。同様に、コーナー側部２２Ｂの方向Ｄ２の端面２２２、コーナー下部２３の方向Ｄ２の端面２３２及びコーナー上部２４の方向Ｄ２の段差面２７３は、方向Ｄ２に直交する同一平面上に位置しており、後述する枠部材４１の方向Ｄ２の端面と当接又は近接するように設計されている。
【００３９】
コーナー部材２１は、一対の第１突出部２５（２５Ａ，２５Ｂ）と、一対の第２突出部２６（２６Ａ，２６Ｂ）と、一対の第３突出部２７（２７Ａ，２７Ｂ）とを有している。
【００４０】
一方の第１突出部２５Ａは、コーナー側部２２Ａの方向Ｄ１の端面２２１からさらに方向Ｄ１に突出している。この第１突出部２５Ａは、コーナー側部２２Ａの内側面２２３及び枠側部４２の内側面４２１よりも内側（蓋板８１側）に位置しており、枠側部４２の内側面４２１に沿って枠部材４１の長手方向（方向Ｄ１）に突出している。
【００４１】
他方の第１突出部２５Ｂは、コーナー側部２２Ｂの方向Ｄ２の端面２２２からさらに方向Ｄ２に突出している。この第１突出部２５は、コーナー側部２２Ｂの内側面２２３及び枠側部４２の内側面４２１よりも内側（蓋板８１側）に位置しており、枠側部４２の内側面４２１に沿って枠部材４１の長手方向（方向Ｄ２）に突出している。
【００４２】
各第１突出部２５は、上下方向の寸法よりも厚み方向の寸法の方が小さい偏平な形状を有している。各第１突出部２５の厚みは、上端部から下端部に向かうにつれて漸次小さくなっている。すなわち、各第１突出部２５は、くさび形状を有している。第１突出部２５の内側面は上下方向にほぼ平行であり、第１突出部２５の外側面は、上下方向に対して傾斜している。後述するように、枠部材４１の延設部４５と枠側部４２との間の領域も同様のくさび形状を有しているので、当該領域に挿入された第１突出部２５が上下方向、特に下方へ移動するのを規制できる。また、第１突出部２５が偏平な形状であることにより、内側面４２１との厚み方向の接触面積を大きくすることができ、安定性が向上する。
【００４３】
各第１突出部２５の先端部の角は面取りされたようなＲ形状となっているので、前記領域に挿入されやすい。各第１突出部２５は、コーナー上部２４の下面に隣接して設けられており、コーナー部材２１の上下方向の上方に偏った位置にある。
【００４４】
一方の第２突出部２６Ａは、コーナー下部２３から枠下部４３の上面に沿って方向Ｄ１に突出している。この第２突出部２６Ａは、第１突出部２５Ａよりも幅方向Ｗ１の内側（蓋板８１側）に位置している。他方の第２突出部２６Ｂは、コーナー下部２３から枠下部４３の上面に沿って方向Ｄ２に突出している。この第２突出部２６Ｂは、第１突出部２５Ｂよりも幅方向Ｗ２の内側（蓋板８１側）に位置している。
【００４５】
各第２突出部２６の幅方向の寸法は、後述する溝部４６の幅と同程度又は若干小さく設計されており、方向Ｄ１又は方向Ｄ２の全域にわたって一定であり、各第１突出部２５の上下方向の寸法よりも小さい。図５（Ａ）〜（Ｃ）に示すように、各第２突出部２６の突出長さは、各第１突出部２５の突出長さよりも小さい。各第２突出部２６の先端部の角は面取りされたようなＲ形状となっている。
【００４６】
各第３突出部２７は、コーナー上部２４から枠上部４４の上面４４１に沿って枠部材４１の長手方向（方向Ｄ１又は方向Ｄ２）に突出し、枠上部４４の上面４４１の一部を覆っている。各第３突出部２７の上面は、コーナー上部２４の上面と段差なく連続的につながっている。各第３突出部２７の下面は、枠上部４４の長手方向の端面が当接可能な段差面２７３を介してコーナー上部２４の下面とつながっている。各第３突出部２７の下面は、枠上部４４の上面に沿うように湾曲している。また、段差面２７３を設けることにより、第３突出部２７の厚みをコーナー上部２４の厚みよりも小さくできる。これにより、第３突出部２７と枠上部４４との段差を小さくできるので、安全性がさらに向上する。
【００４７】
各枠部材４１（４１Ａ，４１Ｂ）は、枠側部４２と、枠下部４３と、枠上部４４と、延設部４５と、溝部４６とを有している。図６に示すように、各枠部材４１は、Ｃ字状の断面形状を有している。
【００４８】
枠側部４２は、縁部８３の側面に沿って延びており、この縁部８３の側面を覆う。枠側部４２は、鉛直方向に対して若干傾斜しており、枠部材４１の下端部が上端部よりも幅方向Ｗ１，Ｗ２の内側（蓋板８１側）に位置している。これにより、内枠１１の形状が下方にいくほど先細りすることになるので、内枠１１が装着された蓋板８１を外枠７１に囲まれた開口に挿入しやすくなる。
【００４９】
延設部４５は、枠上部４４の下面４４２につながり下方に延びる第１延設片４７と、枠側部４２の内側面４２１における上下方向の中央付近につながり厚み方向に延び、さらにその先端部から上方に延びる断面Ｌ字状の第２延設片４８とを有している。第１延設片４７の下端と第２延設片４８の上端とは所定の間隔があけられている。第１延設片４７の下端と第２延設片４８は、リブとしての役割も果たし、剛性向上に寄与している。
【００５０】
第１延設片４７は、内側面４２１と枠側部４２の厚み方向（幅方向Ｗ１又はＷ２）に対向する対向面４５１を有している。第２延設片４８は、内側面４２１と枠側部４２の厚み方向に対向する対向面４５２を有している。延設部４５は、対向面４５１，４５２と枠側部４２の内側面４２１との間に挟み込まれた第１突出部２５の上下方向の動き及び厚み方向の動きを規制する。図６に示すように、第１突出部２５を挟む延設部４５の対向面４５１，４５２と枠側部４２の内側面４２１との間の領域（上下方向に延びるくさび形状の空間）は、枠部材４１における上下方向の中心よりも上方に偏った位置にある。
【００５１】
枠側部４２は、第２延設片４８の下方にリブＲ１を有している。このリブＲ１は、枠部材４１の長手方向に沿って延びている。図２に示すように、蓋板８１は、その側面が第１延設片４７、第２延設片４８及びリブＲ１に当接する。
【００５２】
枠下部４３は、枠側部４２の下端につながり縁部８３の下面を覆うようにフランジ状に延びている。枠下部４３は、枠側部４２の下端につながり縁部８３の下面の一部を覆う基端領域４９と、この基端領域４９につながり、さらに縁部８３の下面を覆うように幅方向Ｗ１又はＷ２の内側に延びる先端領域５０とを有している。先端領域５０は、基端領域４９よりも厚みが小さい。基端領域４９は、溝部４６が設けられているとともに、この溝部４６の幅方向の両側の位置に蓋板８１の下面８１１が当接する第１当接面４９１を有している。
【００５３】
溝部４６は、枠下部４３に設けられ、第２突出部２６の下面が載置される底面４６１と、この底面４６１の両サイドから上方にそれぞれ起立し、第２突出部２６の両側面にそれぞれ対向する一対の起立面４６２とを有している。溝部４６の深さは、第２突出部２６の高さとほぼ同程度であるか若干大きめに設計されており、溝部４６の幅は、第２突出部２６の幅とほぼ同程度であるか若干大きめに設計されている。
【００５４】
溝部４６は、底面４６１に載置された第２突出部２６の長手方向（方向Ｄ１又はＤ２）に直交する幅方向（方向Ｗ１又はＷ２）の動きを規制するとともに、底面４６１と蓋板８１の下面８１１（図２）との間に挟み込まれた第２突出部２６の上下方向の動きを蓋板８１とともに規制する。
【００５５】
先端領域５０は、基端領域４９の第１当接面４９１と同じ高さにある第２当接面５０１を有している。第２当接面５０１には、蓋板８１の下面８１１が当接する。先端領域５０には、蓋板８１と枠部材４１とを固定するビス９３を下方から挿入するためのねじ挿入部５０ａが設けられている（図２）。このねじ挿入部５０ａは、例えば先端領域５０にビス９３を挿通するために予め設けられた貫通孔であってもよいが、貫通孔ではなく、ビス９３を挿入すべき部位を示す目印であってもよい。この目印としては、例えば先端領域５０の該当箇所に形成された凹み、切り欠きなどが例示できる。
【００５６】
先端領域５０の下面は、基端領域４９の下面よりも上方に位置している。したがって、先端領域５０の下面の直下には、ビス９３の頭部が配置される空間が形成されており、この空間を有効利用できる。
【００５７】
先端領域５０の上面には、第２当接面５０１よりも下方に凹み前記長手方向（方向Ｄ１又はＤ２）に沿って延びるパッキン用溝部５１が形成されている。基端領域４９の下面には、外枠７１に当接する一対の当接面４９３と、これらの当接面４９３よりも上方に凹み前記長手方向に沿って延びるパッキン用溝部５２が形成されている。このパッキン用溝部５２と外枠７１との間にはパッキンＰが配設される。パッキン用溝部５１及びパッキン用溝部５２は省略することもでき、この場合、各パッキンＰは、溝部の形成されていない平坦面に接合される。また、各パッキンＰは、枠部材４１に対して接着剤などの接着手段によって後付けされてもよく、枠部材４１を成形する際に枠部材４１とともに一体成形されてもよい。各パッキンＰとしては、例えば軟質の合成樹脂、合成ゴムなどを用いることができ、具体的には発泡樹脂、発泡ゴムなどが例示できる。
【００５８】
なお、基端領域４９には、溝部４６よりも幅方向（Ｗ１又はＷ２）の外側に溝部が形成されており、これらの間はリブＲ２が設けられている。このリブＲ２は、枠部材４１の長手方向に沿って延びている。前述した一方の第１当接面４９１は、このリブＲ２の上面である。
【００５９】
枠上部４４は、枠側部４２の上端につながり縁部８３の上面を覆うようにフランジ状に延びている。枠上部４４の上面は、幅方向Ｗ１（又はＷ２）の外側の領域がほぼ平面であり、幅方向Ｗ１（又はＷ２）の内側の領域が下方に湾曲した曲面である。
【００６０】
コーナー部材２１は、例えば合成樹脂などを射出成形することにより成形することができる。また、枠部材４１は、例えば合成樹脂などを押し出し成形することにより成形することができる。なお、コーナー部材２１及び枠部材４１の材料としては、アルミニウムなどの金属を用いることもできる。
【００６１】
次に外枠７１について説明する。図１（Ａ）、図２、図７（Ａ）〜（Ｃ）及び図８に示すように、床材９１の開口部９２の周縁のうち、その角部に装着される４つのコーナー部材７２と、隣り合う角部間に位置する直線状の縁部に装着される４つの枠部材７３とを備えている。各枠部材７３の両端部は、コーナー部材７２に連結されている。
【００６２】
各コーナー部材７２は、コーナー側部７２１と、コーナー下部７２２と、コーナー上部７２３とを有している。コーナー側部７２１は、開口部９２の角部の側面をＬ字状に覆う。コーナー側部７２１は、平面視でＬ字状に屈曲した形状を有している。コーナー下部７２２は、コーナー側部７２１の下端から内枠１１のコーナー下部２３を支持するようにフランジ状に延びている。コーナー上部７２３は、開口部９２の角部の床材９１の上面を覆うようにフランジ状に延びている。
【００６３】
コーナー部材７２は、一対の突出部７４Ａ，７４Ｂを有している。一方の突出部７４Ａは、コーナー下部７２２の方向Ｄ１の端面からさらに方向Ｄ１に突出している。他方の突出部７４Ｂは、コーナー下部７２２の方向Ｄ２の端面からさらに方向Ｄ２に突出している。各突出部の先端部の角は面取りされたようなＲ形状となっているので、後述する枠部材７３の嵌合穴に挿入されやすい。
【００６４】
各枠部材７３は、枠側部７３１と、枠下部７３２と、枠上部７３３とを有している。枠側部７３１は、開口部９２の縁部の側面に沿って延びており、この縁部の側面を覆う。枠下部７３２は、枠側部７３１の下端から内枠１１の枠下部４３を支持するようにフランジ状に延びている。枠下部７３２は、枠側部７３１の下端につながり、内枠１１を支持する台座領域７３４と、この台座領域７３４からさらに幅方向Ｗ１（又はＷ２）に延び、台座領域７３４よりも厚みの小さい先端領域７３５とを有している。
【００６５】
先端領域７３５には、外枠７１と外枠支持台９５とを固定するビス９３を上方から挿入するための前述したようなねじ挿入部が設けられている。また、先端領域７３５の下面には、長手方向（方向Ｄ１又はＤ２）に沿って延びるパッキン用溝部７３６が形成されている。外枠７１は、パッキン用溝部７３６にパッキンＰが配設された状態でビス９３によって外枠支持台９５に固定される。
【００６６】
コーナー部材７２は、例えば合成樹脂などを射出成形することにより成形することができる。また、枠部材７３は、例えば合成樹脂などを押し出し成形することにより成形することができる。なお、コーナー部材７２及び枠部材７３の材料としては、アルミニウムなどの金属を用いることもできる。
【００６７】
以上説明したように、前記実施形態では、内枠の側部においては、枠側部の内側面に対向する対向面を有する延設部を設けることにより、第１突出部が枠側部と延設部によって抱え込まれるような形態を採用している。これにより、前記幅方向へ第１突出部の動きが規制される。一方、内枠の下部においては、枠下部に溝部を設け、この溝部の底面に載置された第２突出部が前記底面と蓋板の下面との間に挟まれる形態を採用している。コーナー部材及び枠部材が蓋板に装着された状態では、枠下部及び第２突出部は蓋板の真下に位置しているので、蓋板の重みが枠下部及び第２突出部に常にかかることになる。これにより、上下方向への第２突出部の動きが蓋板及び溝部によって効果的に規制される。
【００６８】
また、下部においては、溝部と蓋板とを利用して第２突出部の動きを規制しているので、枠下部に第２突出部の厚みと同程度の深さの溝部を設けるだけでよく、枠下部の上下方向の寸法（厚み）が大きくなるのを抑制できる。これにより、枠部材にかかる材料コストを低減できる。また、枠下部の厚みが大きくなるのが抑制されることにより、その分だけ蓋板の下面よりも下方の領域、すなわち床下スペースを有効利用することができる。
【００６９】
また、前記実施形態では、溝部の底面に載置された第２突出部は、溝部の一対の起立面によって幅方向の動きも規制されるので、コーナー部材と枠部材との連結状態がより安定する。
【００７０】
また、前記実施形態では、コーナー部材の第３突出部が枠部材の枠上部の上面の一部を覆うので、仮にコーナー部材及び枠部材の寸法にばらつきがあり、コーナー部材と枠部材との間に若干の隙間が生じるような場合であっても、そのような隙間は第３突出部によって覆われる。したがって、内枠の上部に上記のような隙間が露出するのを避けることができる。また、前記段差面が設けられていることにより、コーナー部材と枠部材との位置決めが容易になる。
【００７１】
また、前記実施形態では、第１突出部を収容する前記領域が枠部材における上下方向の中心よりも上方に偏った位置にある。したがって、第２突出部を収容する溝部がある下方の位置と前記領域がある上方の位置、言い換えると内枠における上下方向の両端に近い位置でコーナー部材と枠部材とが係合される構造となるので、係合状態の安定性が増す。
【００７２】
また、前記実施形態では、基端領域は、先端領域と枠側部の下端との間に位置している。すなわち、基端領域に設けられた溝部の前記幅方向の両側には、先端領域に設けられたねじ挿入部と枠側部の下端とが位置することになる。したがって、前記ねじ部材により枠部材が蓋板に固定された状態では、溝部及びこの溝部に載置された第２突出部を前記幅方向の両側から蓋板の下面側に（上方に）押圧することができる。これにより、第２突出部の動きをより効果的に規制することができるので、コーナー部材と枠部材との連結状態がさらに安定する。また、このように枠部材をねじ部材によって固定する場合、コーナー部材はねじ止めしなくてもよい。
【００７３】
また、前記実施形態では、パッキン用溝部にパッキンを配置して前記ねじ部材により枠部材を蓋板に固定することにより、蓋板と枠部材との間の気密性を高めることができる。また、パッキン用溝部は一対の当接面の間に位置しているので、パッキンが前記幅方向に位置ずれするのを抑制できる。さらに、前記ねじ挿入部はパッキン用溝部が形成された領域に設けられているので、前記ねじ部材がパッキンを貫通した状態で枠部材が蓋板に固定される。これにより、パッキンの位置ずれをより効果的に抑制できる。
【００７４】
また、前記実施形態では、パッキン用溝部にパッキンを配置することにより、内枠と外枠との間の気密性を高めることができる。また、パッキン用溝部は、一対の対向面の間に位置しているので、パッキンが前記幅方向に位置ずれするのを抑制できる。
【００７５】
また、前記実施形態では、第１突出部及びこれが挿入される前記領域の形状が上記のようなくさび形状であるので、下方への第１突出部の動きを規制することができる。また、くさび形状であることにより、前記領域に挿入しやすい。
【００７６】
なお、床やその開口部を塞ぐ蓋体のデザイン、材料などは、物件ごとに異なることが多いので、通常、蓋板に予め内枠を装着した状態で出荷するのではなく、内枠が現場で蓋板に組み付けられる。したがって、内枠を構成するコーナー部材及び枠部材は、現場で組み立てやすい構造を有しているのが好ましい。内枠を蓋板に装着する際には、例えば各コーナー部材とそれに対応する枠部材とを順次連結する作業が行われる。
【００７７】
この作業において、前記実施形態では、コーナー部材の第１突出部を枠側部の内側面と延設部の対向面との間に配置し、これとほぼ同時に第２突出部を溝部に配置する。このとき、第１突出部は、前記内側面と前記対向面との隙間に挿入される必要がある一方で、第２突出部は、溝部の底面に載置するだけでよいので、前記作業において、作業者は、主に第１突出部の配置を意識しながらコーナー部材と枠部材とを連結することができる。したがって、前記実施形態の内枠は、組み立てやすい構造を有している。
【００７８】
なお、本発明は、前記実施形態に限られるものではなく、その趣旨を逸脱しない範囲で種々変更、改良等が可能である。例えば、前記実施形態では、床材の開口部及び蓋板が矩形状である場合を例示したが、これに限定されず、他の多角形であってもよい。
【００７９】
また、前記実施形態では、延設部が前述したような第１延設片と第２延設片とからなる場合を例示したが、これに限定されない。第１延設片４７の下端と第２延設片４８の上端とがほぼ当接又は近接したような形態であってもよく、第１延設片４７と第２延設片４８とに分かれていない形態、すなわち第１突出部２５が挿入される領域が幅方向に閉じているような形態であってもよい。
【００８０】
また、前記実施形態では、第３突出部が枠部材の上面の一部を覆う構造を例に挙げて説明したが、これに限定されない。コーナー上部の端部と枠上部の端部とが突き合わされる構造であってもよい。また、第３突出部とコーナー上部との間に設けられている段差面は、必ずしも必須のものではない。
【００８１】
また、前記実施形態では、枠下部が基端領域とこれよりも厚みの小さい先端領域とからなる場合を例示したが、これに限定されず、これらが幅方向に反対の位置にあってもよく、これらの厚みが同程度であってもよい。また、ねじ挿入部を基端領域に設け、溝部を先端領域に設けてもよい。
【符号の説明】
【００８２】
１１  床開口構造用内枠
２１  コーナー部材
２２  コーナー側部
２３  コーナー下部
２４  コーナー上部
２５  第１突出部
２６  第２突出部
２７  第３突出部
４１  枠部材
４２  枠側部
４２１  枠側部の内側面
４３  枠下部
４４  枠上部
４５  延設部
４５１  対向面
４６  溝部
４６１  溝部の底面
４６２，４６３  溝部の起立面
４９  基端領域
５０  先端領域
５０ａ  ねじ挿入部
７１  外枠
８１  蓋板
８２  角部
８３  縁部
【図１】
0005608536.tif 000002
【図２】
0005608536.tif 000003
【図３】
0005608536.tif 000004
【図４】
0005608536.tif 000005
【図５】
0005608536.tif 000006
【図６】
0005608536.tif 000007
【図７】
0005608536.tif 000008
【図８】
0005608536.tif 000009